(57)【要約】【課題】一眼レフカメラにおいて、カメラボディのメインミラー下部に、ワイドバンドの可視光表示を行うファインダ表示用の装置を設けるとともに測距・測光装置も並設できるようにしたファインダ表示方式およびファインダ表示方法を提供する。【解決手段】交換式テーキングレンズを通過した被写体光はメインミラー５で反射し，フォーカシングスクリーン１６に結像される。メインミラー５の下側にＳＩＰユニット６が配置され、ＡＦ・ＡＥユニット７も並設される。ＳＩＰユニット６の投影像はフォーカシングスクリーン１６に投影される。ＳＩＰユニット６が投影している間は、ＡＦ・ＡＥユニット７の動作を停止させている。照射を停止しているときに、ＡＦ・ＡＥユニット７による制御を行う。【選択図】　　　　図１
2004133346.tif 000002
【特許請求の範囲】
【請求項１】
撮影レンズを通過した被写体光をフォーカシングスクリーンに反射する半透明型ミラーで形成されたメインミラーと、前記被写体光の可視光成分により測光および焦点検出を行う測光装置兼焦点検出装置とを備えるカメラにおいて、
フォーカシングスクリーン表示用の投影像を形成する照射装置を、前記メインミラーを基準として前記フォーカシングスクリーンと反対側の位置に配置し、
前記照明装置から出射される光は前記半透明のメインミラーを通過して前記フォーカシングスクリーンに照射するように構成し、
前記照射装置は、照射時、前記測光装置および焦点検出装置の動作を停止することを特徴とするカメラ。
【請求項２】
前記照射装置から照射される投影像は、複数のフォーカスターゲットの何れかを選択したかを表示するために該当のフォーカスターゲット位置に表示するように構成したことを特徴とする請求項１記載のカメラ。
【請求項３】
前記照射装置の照射時と前記測光装置および焦点検出装置の動作タイミングは、前記照射装置が照射して停止した後、前記測光装置および焦点検出装置を動作させて停止させ、その後に再び前記照射装置で照射して表示させるように構成したことを特徴とする請求項１または２記載のカメラ。
【請求項４】
撮影レンズを通過した被写体光をフォーカシングスクリーンに反射する半透明型ミラーで形成されたメインミラーと、前記被写体光の可視光成分により測光および焦点検出を行う測光装置兼焦点検出装置とを備えるカメラにおいて、
フォーカシングスクリーン表示用の投影像を形成する照射装置を、前記メインミラーを基準として前記フォーカシングスクリーンと反対側の位置に配置し、
前記投影像をフォーカシングスクリーンに照射し、照射を停止した後、前記測光装置および焦点検出装置を動作させ、該動作を停止した後、再度前記投影像を照射するというように交互に動作させることを特徴とするカメラの表示方法。
【請求項５】
前記照射装置は、スーパーインポーズ方式で投影像を照射する装置である請求項１，２，３または４記載のカメラまたはその表示方法。
【発明の詳細な説明】
【０００１】
【発明の属する技術分野】
本発明はファインダ着脱タイプ一眼レフカメラ（ＳＬＲ）およびその表示方法に関する。
【０００２】
【従来の技術】
一眼レフカメラのファインダ内表示では、ファインダのペンタプリズム等を利用した表示系が多い。
しかしながら、ファインダ着脱方式の一眼レフカメラにおいてはフィインダ内表示であるスーパーインポーズの表示機構をペンタプリズム周辺等を利用して設置しその表示をフォーカシングスクリーンに表示することは困難である。また、フォーカシングスクリーン内に表示機構を設けることができたとしてもファインダユニットが大きくなる、交換式スクリーンの採用が困難になる等の問題があった。
【０００３】
そこで、スーパーインポーズの表示機構をミラー下側に設置する構成を考えた場合、ミラー下側にはＡＦ測距装置なども配置され、交差する光路部分があることから光が干渉し悪影響が出るという問題がある。
これを解決する提案がなされている（特公平６−１００７６５号公報）。
図８は、上記提案を示すもので、カメラのファインダ表示機構の一例を示す概略図である。
この例は、カメラボディに対しファインダが着脱できるものではなく、一体に構成されたものである。
メインミラー４２の下側にはＬＥＤ５０，集光レンズ５１，液晶表示器５２および投影レンズ５３よりなる表示投影系と、焦点検出装置４８が並設されている。
【０００４】
表示投影系の投影像はメインミラー４２を通過しピント板４３に表示され、撮影者はペンタプリズム４４を介して接眼レンズ４５，４５より観察することができる。
一方、被写体からの光はその一部がメインミラー４２を通過し、サブミラー４７で反射し焦点検出装置４８に入射する。メインミラー４２の上で上記表示投影系と焦点検出装置４８の光が交差するため、表示投影系を出射した光の一部がメインミラー４２の背面で反射され、さらにサブミラー４７で反射されて焦点検出装置４８に入射し、焦点検出装置４８に悪い影響を与えることとなる。これを解決するために所定の赤外線波長を透過率のピークとするバンドパスフィルタ４９を焦点検出装置４８の入射面に配置し、表示投影系による測距精度への影響を取り除いている。
【０００５】
【発明が解決しようとする課題】
ところで、これは、表示投影像をファインダ内へ常時表示し、測距を行っていることを前提とした解決手段であり、並設されている装置は被写体光の赤外線成分を利用した焦点検出装置のみである。しかしながら、メインミラーの下側に配置されるものは、焦点検出装置だけではなく測光装置も配置されることが考えられる。かかる場合、測光は広範囲の光波長領域で行われるためその装置の前面にバンドパスフィルターを設けることはできない。
本発明の目的は、一眼レフカメラにおいて、上記諸問題を解決しカメラボディのメインミラー下部に、ワイドバンドの可視光表示を行うファインダ表示用の装置とともに測距・測光装置も並設できるようにしたカメラおよびその表示方法を提供することにある。
【０００６】
【課題を解決するための手段】
前記目的を達成するために本発明によるカメラは、撮影レンズを通過した被写体光をフォーカシングスクリーンに反射する半透明型ミラーで形成されたメインミラーと、前記被写体光の可視光成分により測光および焦点検出を行う測光装置兼焦点検出装置とを備えるカメラにおいて、フォーカシングスクリーン表示用の投影像を形成する照射装置を、前記メインミラーを基準として前記フォーカシングスクリーンと反対側の位置に配置し、前記照明装置から出射される光は前記半透明のメインミラーを通過して前記フォーカシングスクリーンに照射するように構成し、前記照射装置は、照射時、前記測光装置および焦点検出装置の動作を停止するように構成されている。
本発明における前記照射装置から照射される投影像は、複数のフォーカスターゲットの何れかを選択したかを表示するために該当のフォーカスターゲット位置に表示するように構成されている。
本発明における前記照射装置の照射時と前記測光装置および焦点検出装置の動作タイミングは、前記照射装置が照射して停止した後、前記測光装置および焦点検出装置を動作させて停止させ、その後に再び前記照射装置で照射して表示させるように構成されている。
また、本発明による表示方法は、撮影レンズを通過した被写体光をフォーカシングスクリーンに反射する半透明型ミラーで形成されたメインミラーと、前記被写体光の可視光成分により測光および焦点検出を行う測光装置兼焦点検出装置とを備えるカメラにおいて、フォーカシングスクリーン表示用の投影像を形成する照射装置を、前記メインミラーを基準として前記フォーカシングスクリーンと反対側の位置に配置し、前記投影像をフォーカシングスクリーンに照射し、照射を停止した後、前記測光装置および焦点検出装置を動作させ、該動作を停止した後、再度前記投影像を照射するというように交互に動作させるようにしている。
なお、本発明における前記照射装置は、スーパーインポーズ方式で投影像を照射する装置を用いるものである。
【０００７】
【作用】
上記構成は、ファインダ交換およびスクリーンの交換式のカメラに実装することが可能となる。本発明による表示方式および表示方法によれば、メインミラー下方に照射ユニットを配置し、ファインダ表示内容を限定し、撮影シーケンスにおいてＡＦ・ＡＥタイミングと表示タイミングを分離しているため、メインミラー下方にはＡＦ・ＡＥ装置に並べてファインダ表示用の装置を設けることができ、しかもＡＦ・ＡＥ装置の誤測距や誤測光の影響を回避して投影像をファインダスクリーンに表示することが可能となる。
【０００８】
【発明の実施の形態】
以下、図面を参照して本発明の実施の形態を詳しく説明する。
図１は、本発明によるカメラの外観を示す概略図である。
ボディ本体１に対し交換式テーキングレンズ２が装脱着可能になっている。また、交換式ファインダユニット３がボディ本体１の上部に装着する構造となっている。さらにブローニフィルムを巻き上げ給送する機構を構成する交換式フィルムボックス９がボディ本体１の背面に装着されるようになっている。交換式テーキングレンズ２を通過した被写体からの光はボディ本体１のメインミラー５で反射され、交換式ファインダユニット３のプリズム４に導かれ、ユーザは接眼部から被写体の構図を観察することができる。
【０００９】
メインミラー５の下部にはＳＩＰユニット（スーパーインポーズ方式の照明装置）６とＡＦ・ＡＥユニット７が並設されている。
シャッタレリーズによりメインミラー５はアップし、図示しないプレーンシャッタが走りアパーチャー上のブローニフィルムに露光し撮影が完了する。
【００１０】
図２は、本発明によるカメラのファインダの実施の形態を示すボディ部の右側面断面図である。
メインミラー５によって上方に反射される光線（光軸）をメインミラー５の反対方向に延長した線上にＳＩＰユニット６が設置されている。
ＳＩＰユニット６はＳＩＰレンズ１２，ＳＩＰスリット１１およびＳＩＰＬＥＤ（発光ダイオード）１０の順番に配置されており、ワイドバンドの可視光表示の投影を行う。メインミラー５の、ＳＩＰユニット６からの光線が通過する部分は半透明であり、ＳＩＰＬＥＤ１０から出射した投影像はＳＩＰスリット１１，ＳＩＰレンズ１２を通過し、さらにメインミラー５の半透明部分を通過してフォーカシングスクリーン１６上に結像される。フォーカシングスクリーン１６は交換可能に構成されている。
【００１１】
メインミラー５の裏面側にはサブミラー８が取り付けられており、被写体からの光の一部はメインミラー５の半透明部分を通過しサブミラー８により下方向に反射される。サブミラー８の光軸の延長線上にはＡＦ・ＡＥ用のレンズ１８が設置されている。レンズ１８の後部には半透明型のミラー１９が配置され、ミラー１９によって光が２分岐される。透過した光はミラー１９の後部に設けられたＡＥＩＣ１３に入射する。一方、ミラー１９で反射された光の一部は、その光軸上に設置されているＡＦＩＣ１４に入射する。
ＡＥＩＣ１３およびＡＦＩＣ１４に入射する被写体光の一部はワイドバンドの可視光である。
【００１２】
図３は、スーパーインポーズ照明装置の詳細を示す図である。
この図はメインミラーの背面側から見た図である。
ＳＩＰＬＥＤ１０，ＳＩＰスリット１１およびＳＩＰレンズ１２よりなる照明装置部は撮影レンズの光軸に対し、直角方向であり、かつ水平方向に３列に配列されている。
図４にファインダ内のフォーカスターゲットの配置例を示す。
ファインダ内の中央水平方向に３つのフォーカスターゲット２１ａ，２１ｂおよび２１ｃが配置されている。ＳＩＰＬＥＤ１０ａを発光させた場合には、フォーカシングスクリーン１６（ファインダ内表示２０）の中央右側のファインダターゲット２１ａ内を表示する。ＳＩＰＬＥＤ１０ｂを発光させた場合には、ファインダ内表示２０の中央部のファインダターゲット２１ｂ内を表示する。ＳＩＰＬＥＤ１０ｃを発光させた場合には、ファインダ内表示２０の中央左側のファインダターゲット２１ｃ内を表示する。
【００１３】
図５は、本発明によるカメラの制御回路の実施の形態を示す回路ブロック図である。
カメラの電源オンによりメインＣＰＵ２６，ＡＦＣＰＵ２５およびシーケンスＣＰＵ２７が起動する。メインＣＰＵ２６は、カメラ外観に設けられている操作ボタンやダイヤル等のスイッチ３１より入力される操作情報や撮影モード情報，露出補正値などの情報を受け付ける。この情報はＡＦＣＰＵ２５およびシーケンスＣＰＵ２７にも送られる。
ＡＦＣＰＵ２５は、ＡＦセンサ２９が被写体からの光を受光すると、ＡＦ情報に基づきレンズ３２を駆動制御して合焦位置にもたらす。
【００１４】
また、シーケンスＣＰＵ２７は、ＡＥセンサ３０から情報を受信すると、撮影モードなどに従った処理を行い、Ｆ内表示３３として，フォーカス情報，絞り値，シャッタ速度などの表示制御を行う。
スーパーインポーズ表示２８はＡＦおよびＡＥ制御動作の前に行われ、Ｆ内表示３３を行う。そして、ＡＦおよびＡＥ制御動作を停止した後、再度スーパーインポーズ表示２８を行う。
レリーズボタンを押す（ＳＷ入力３１操作）と、シーケンスＣＰＵ２７は、上述の制御のシーケンスおよびミラー制御以降のシーケンスを司る。
【００１５】
図６は、本発明によるカメラの各部の動作例を示すタイミングチャートである。
レリーズボタンを押し下げると、まずチェックＳＷがオンし、Ｆ内表示とＳＩＰ表示を開始する。さらに押し込むと、レリーズスイッチがオンする。ＳＩＰ表示を一定時間行った後、動作を停止し、ＡＦ・ＡＥ制御動作が開始する。ＡＦ・ＡＥ制御を所定時間行った後、動作を停止する。再度、ＳＩＰ表示の開始と同時にすでにレリーズスイッチがオンしていれば、ミラーアップ制御に移行する。ミラーアップ制御が行われた後、シャッタ制御に移行し、シャッタ動作が完了すると、巻き上げおよびミラーダウン制御に進む。巻き上げが終了した時点で、ファインダ内表示を行う。
図７に示す動作シーケンスは、ＡＦ・ＡＥ制御と同じタイミングでＳＩＰ表示を行う例を示したものである。図６のようなシーケンスタイミングで、ＳＩＰ表示を行えば、ＡＦ・ＡＥ制御に悪影響を及ぼすことはなく、また、ＳＩＰ表示もＡＦ・ＡＥ制御による光の影響を受けることはない。
【００１６】
【発明の効果】
以上、説明したように本発明は、メインミラーの下方のファインダ光軸延長線上に照射装置を配置し、該照射装置から照射される像はフォーカシングスクリーンに結像し、ユーザは直接フォーカシングスクリーンの投影像を視認するものである。投影像は赤外寄り可視光成分のため投影光軸が交差する被写体からの光の一部を取り入れるＡＦ，ＡＥに影響を及ぼすため、表示内容をスーパーインポーズ表示に限定しＳＩＰ表示時はＡＦ・ＡＥ動作を一時停止し、その影響を回避するようにしたものである。
したがって、メインミラー下部のＡＦ・ＡＥ装置設置側に、特別なフィルタを設けることなく、照射とＡＦ・ＡＥが同期した場合の誤測距や相互の悪影響を回避することができるＳＩＰなどの照射装置を実装できる。特に交換式ファインダユニットに照射装置設置は困難なことからファインダ交換式一眼レフカメラでは、本発明によるカメラおよびその表示方法は有効である。
【図面の簡単な説明】
【図１】本発明によるカメラの外観を示す概略図である。
【図２】本発明によるカメラのファインダの実施の形態を示すボディ部の右側面断面図である。
【図３】スーパーインポーズ照明装置の詳細を示す図である。
【図４】ファインダ内の表示例を説明するための図である。
【図５】本発明によるカメラの制御回路の実施の形態を示す回路ブロック図である。
【図６】本発明によるカメラの各部の動作例を示すタイミングチャートである。
【図７】従来のカメラの各部の動作例を示すタイミングチャートである。
【図８】従来のカメラのファインダ表示機構の一例を示す概略図である。
【符号の説明】
１　ボディ本体
２　交換式テーキングレンズ
３　交換式ファインダユニット
４　プリズム
５　メインミラー
６　ＳＩＰユニット
７　ＡＦ・ＡＥユニット
８　サブミラー
９　交換式フィルムボックス
１０　ＳＩＰＬＥＤ
１１　ＳＩＰスリット
１２　ＳＩＰレンズ
１３　ＡＥＩＣ
１４　ＡＦＩＣ
１５　フィルム面
１６　フォーカシングスクリーン
１７　マウントベース
１８　レンズ（ＡＦ・ＡＥレンズ）
１９　ミラー（ＡＦ・ＡＥミラー）
２０　ファインダ内表示
２１　フォーカスターゲット
２５　ＡＦＣＰＵ
２６　メインＣＰＵ
２７　シーケンスＣＰＵ
２８　スーパーインポーズ表示
２９　ＡＦセンサ
３０　ＡＥセンサ
３１　ＳＷ入力
３２　レンズ
３３　Ｆ内表示
３４　シャッタ・チャージ・巻き上げ・ミラーアップ
【図１】
2004133346.tif 000003
【図２】
2004133346.tif 000004
【図３】
2004133346.tif 000005
【図４】
2004133346.tif 000006
【図５】
2004133346.tif 000007
【図６】
2004133346.tif 000008
【図７】
2004133346.tif 000009
【図８】
2004133346.tif 000010